(57)【要約】【課題】ＳＡＲを低減させる。【解決手段】ユーザに装着される電子機器（眼鏡型無線通信機１）は、ユーザに装着される装着部と、装着部に形成され、装着部がユーザの頭部に装着された場合に、ユーザから離間する方向に配置される延伸部と、を備え、延伸部に第１のアンテナが形成されている、電子機器。【選択図】図１
2017175436.tif 000002
【特許請求の範囲】
【請求項１】
ユーザに装着される電子機器であって、
前記ユーザに装着される装着部と、
前記装着部に形成され、前記装着部が前記ユーザに装着された場合に、前記ユーザから離間する方向に配置される延伸部と、を備え、
前記延伸部に第１のアンテナが形成されている、電子機器。
【請求項２】
前記装着部は、第２のアンテナをさらに備える、請求項１に記載の電子機器。
【請求項３】
前記第１のアンテナに接続され、複数のインピーダンスに設定可能な整合回路部と、
前記整合回路部を制御する制御部と、を有し、
前記制御部は、前記整合回路部のインピーダンスを変更した各場合に得られたそれぞれの前記第１のアンテナの受信感度の測定結果に基づいて、前記整合回路部のインピーダンスを設定する、請求項１に記載の電子機器。
【請求項４】
前記制御部は、
前記整合回路部のインピーダンスを設定してから第１の所定時間が経過した後、
前記第１のアンテナの受信感度を測定し、
当該受信感度の測定結果と前回の前記第１のアンテナの受信感度の測定結果との差が所定の閾値以上である場合、
前記整合回路部のインピーダンスを変更した各場合に得られたそれぞれの前記第１のアンテナの受信感度の測定結果に基づいて、前記整合回路部のインピーダンスを設定する、
請求項３に記載の電子機器。
【請求項５】
前記電子機器が前記ユーザに装着されていることを検出するセンサ部をさらに備え、
前記制御部は、前記センサ部の検出結果に基づいて、前記電子機器が前記ユーザに装着されていないと判定した場合は、前記整合回路部のインピーダンスを所定の値に設定し、
当該設定から第２の所定時間経過した後に、前記センサ部の検出を行う、請求項３に記載の電子機器。
【請求項６】
前記制御部は、
前記センサ部の検出結果に基づいて、前記電子機器が前記ユーザに装着されていると判定された場合に、前記整合回路部のインピーダンスを変更した各場合に得られたそれぞれの前記第１のアンテナの受信感度の測定結果に基づいて、前記整合回路部のインピーダンスを設定する、請求項５記載の電子機器。
【発明の詳細な説明】
【技術分野】
【０００１】
本発明は、電子機器に関する。
【背景技術】
【０００２】
現在、携帯型の無線通信機として、スマートフォンに代表されるストレート型及びタブレット型、折り畳み構造のクラムシェル型といった形状のものが普及している。今後、携帯型の無線通信機として、ユーザの利便性から、ユーザの身体に装着できる形状ものが普及していくと想定される。
【０００３】
ユーザの身体に装着できる形状の一つとして頭部装着型がある。頭部装着型の一形態として眼鏡型の無線通信機が知られている（特許文献１から３）。
【先行技術文献】
【特許文献】
【０００４】
【特許文献１】特開２０１３−９００６１号公報
【特許文献２】特開平１１−３５３４４４号公報
【特許文献３】特表２０１３−５１３２７５号公報
【発明の概要】
【発明が解決しようとする課題】
【０００５】
ユーザの身体に装着させる無線通信機は、ＳＡＲ（比吸収率：Ｓｐｅｃｉｆｉｃ  Ａｂｓｏｒｐｔｉｏｎ  Ｒａｔｅ）が基準値以下であることを満たす必要がある。しかしながら、特許文献１から３に記載の眼鏡型無線通信機では、電波を送受信する無線通信機のアンテナがユーザの頭部に近接するため、ＳＡＲが増大して基準値を超えやすい。
【０００６】
本発明の目的は、上記の問題に鑑みてなされたものであり、ＳＡＲを低減させることができる電子機器を提供することにある。
【課題を解決するための手段】
【０００７】
本発明の一実施形態に係る電子機器は、ユーザに装着される電子機器であって、前記ユーザに装着される装着部と、前記装着部に形成され、前記装着部が前記ユーザに装着された場合に、前記ユーザから離間する方向に配置される延伸部と、を備え、前記延伸部に第１のアンテナが形成されている。
【発明の効果】
【０００８】
本発明の一実施形態に係る電子機器によれば、ＳＡＲを低減することができる。
【図面の簡単な説明】
【０００９】
【図１】本発明に係る電子機器の一実施形態の眼鏡型無線通信機の概略構成の一例を示す斜視図である。
【図２】図１に示される眼鏡型無線通信機の回路構成の一例を示す機能ブロック図である。
【図３】整合回路部の回路構成の一例を示す機能ブロック図である。
【図４】メインアンテナの受信感度を最適化する際の回路動作の一例を示すフローチャートである。
【図５】身体非装着又は身体装着の際における回路動作の一例を示すフローチャートである。
【発明を実施するための形態】
【００１０】
以下、本発明の一実施形態に係る電子機器について、図面を参照して説明する。なお、以下では、頭部装着型の一形態として眼鏡型を採用する場合を例に挙げて説明する。
【００１１】
［眼鏡型無線通信機の構成］
図１は、本発明に係る電子機器の一実施形態の眼鏡型無線通信機１の概略構成の一例を示す斜視図である。眼鏡型無線通信機１は、テンプル部（サイドフレーム部）１０，１１と、レンズ部１２，１３と、鼻あて部１４，１５と、ブリッジ部１６と、インカム部１７と、メインアンテナ（第１のアンテナ）２０と、サブアンテナ（第２のアンテナ）３０，３１と、制御回路１００とを備える。なお、図１では、給電線及び信号線等は図示を省略している。図１に示される部材のうち、テンプル部（サイドフレーム部）１０，１１と、鼻あて部１４，１５とは、ユーザの頭部に装着される装着部となる。
【００１２】
テンプル部１０は、ユーザが眼鏡型無線通信機１を装着している状態（以下、適宜「ユーザ装着状態」と記載する）では、ユーザの頭部の左側面に位置する。テンプル部１１は、ユーザが眼鏡型無線通信機１を装着している状態では、ユーザの頭部の右側面に位置する。
【００１３】
テンプル部１０は、その先端に耳掛け部１０ａを有する。テンプル部１１は、その先端に耳掛け部１１ａを有する。
【００１４】
また、テンプル部１０には、サブアンテナ３０が形成される。テンプル部１１には、サブアンテナ３１が形成される。耳掛け部１０ａは、ユーザ装着状態ではユーザの左の耳に掛けられる。耳掛け部１１ａは、ユーザ装着状態ではユーザの右の耳に掛けられる。
【００１５】
レンズ部１２は、一端でテンプル部１０と連結し、他端でブリッジ部１６と連結する。レンズ部１３は、一端でテンプル部１１と連結し、他端でブリッジ部１６と連結する。
【００１６】
レンズ部１２は、ユーザ装着状態ではユーザの左の目の前に位置する。レンズ部１３は、ユーザ装着状態ではユーザの右の目の前に位置する。
【００１７】
鼻あて部１４は、レンズ部１２のブリッジ部１６側に設けられる。鼻あて部１５は、レンズ部１３のブリッジ部１６側に設けられる。鼻あて部１４は、ユーザ装着状態ではユーザの鼻の左の側にあてられる。鼻あて部１５は、ユーザ装着状態ではユーザの鼻の右の側にあてられる。
【００１８】
ブリッジ部１６は、左右のレンズ部１２，１３の間を連結することで、レンズ部１２，１３を所定の位置関係に維持する。
【００１９】
インカム部１７は、ユーザが他者と通話する際に使用する部材である。インカム部１７は、その先端にマイク１７ａを有する。インカム部１７には、メインアンテナ２０が配置される。インカム部１７は、固定の形状のものでもよいが、ユーザ毎に異なる頭部形状に対応するため、フレキシブルに形状を変更可能な材料で構成されていてもよい。このインカム部１７は、テンプル部１０に形成され、テンプル部１０がユーザの頭部に装着された場合に、ユーザの頭部から離間する方向に伸びて形成されている。よって、このインカム部１７は、延伸部となる。
【００２０】
また、図１に示される例では、インカム部１７は、テンプル部１０の左のレンズ部１２側に配置されているが、インカム部１７は、右のレンズ部１３側に配置されていてもよい。また、インカム部１７は、テンプル部１０に固定されている。しかし、インカム部１７は、テンプル部１０に対して相対的に動くことができるものとしても良い。この場合、インカム部１７は、テンプル部１０に対してヒンジなどその他の可動機構により相対的に動くことが可能となっている。
【００２１】
メインアンテナ２０は、例えばモノポールアンテナであり、電波の送受信を行う。サブアンテナ３０，３１は、例えばモノポールアンテナであり、電波の受信のみを行う。つまり、眼鏡型無線通信機１において、電波を送信する際は、メインアンテナ２０のみが使用される。一方、眼鏡型無線通信機１において、電波を受信する際は、メインアンテナ２０及びサブアンテナ３０，３１が使用される。なお、図１では、メインアンテナ２０及びサブアンテナ３０，３１は、それぞれ、一本のアンテナ素子として描写されているが、使用される電波の周波数帯に応じた本数のアンテナ素子を有しているものとする。
【００２２】
制御回路１００は、メインアンテナ２０によって受信される電波の受信感度を最適化する。制御回路１００の構成及び機能の詳細は後述する。
【００２３】
このように、眼鏡型無線通信機１はメインアンテナ２０及びサブアンテナ３０，３１を搭載している。そのため、眼鏡型無線通信機１は、複数のアンテナを必要とするＬＴＥ（Ｌｏｎｇ  Ｔｅｒｍ  Ｅｖｏｌｕｔｉｏｎ）のような通信方式にも対応することができる。
【００２４】
また、眼鏡型無線通信機１では、送信電波の電波強度の強いメインアンテナ２０をユーザの頭部から離れたインカム部１７に配置させることで、ＳＡＲを低減させることができる。
【００２５】
また、眼鏡型無線通信機１では、メインアンテナ２０をユーザの頭部から離れたインカム部１７に配置させることで、メインアンテナ２０は、頭部によって電波伝搬を妨害されることなく、良好な送受信感度で電波の送受信を行うことができる。
【００２６】
また、ＬＴＥ方式では、メインアンテナ２０及びサブアンテナ３０，３１間のアイソレーション（分離度）は、１０ｄＢ程度を確保できることが望ましい。眼鏡型無線通信機１では、メインアンテナ２０をインカム部１７に配置させ、サブアンテナ３０，３１をテンプル部１０，１１に配置させることで、メインアンテナ２０とサブアンテナ３０，３１との間の距離を１０ｃｍ以上確保することができるようになる。図１の例では、メインアンテナ２０及びサブアンテナ３０，３１間で両アンテナが最も近接する箇所である、メインアンテナ２０及びサブアンテナ３０の制御回路１００側の先端間の距離が１０ｃｍ以上となる。両アンテナ間の距離が１０ｃｍ以上である場合にＬＴＥ方式で使用される各周波数での自由空間ロスは、以下のようになる。これにより、眼鏡型無線通信機１では、メインアンテナ２０及びサブアンテナ３０，３１間のアイソレーションを確保できることが分かる。
周波数             ：アイソレーション
７５０［ＭＨｚ］   ：  ９．９［ｄＢ］
８００［ＭＨｚ］   ：１０．５［ｄＢ］
９００［ＭＨｚ］   ：１１．５［ｄＢ］
２．０［ＧＨｚ］   ：１８．５［ｄＢ］
２．６［ＧＨｚ］   ：２０．７［ｄＢ］
【００２７】
なお、図１では、テンプル部１０，１１の両方にサブアンテナ３０，３１がそれぞれ配置されているが、テンプル部１０，１１の一方のみにサブアンテナ３０，３１を配置するようにしてもよい。例えば、メインアンテナ２０との距離がより離れるように、テンプル部１１のみにサブアンテナ３１を配置することで、メインアンテナ２０及びサブアンテナ３１間のアイソレーションをより良好に維持することができる。
【００２８】
＜受信感度の最適化＞
インカム部１７は、眼鏡型無線通信機１を使用するユーザによって、形状が変化したり、インカム部１７と身体との距離が変化したりすることがある。これは、例えば、使用するユーザ毎に頭部の形状が異なっていたり、使用中にユーザがマイク１７ａの位置を変化させたりするためである。インカム部１７の形状が変化したり、インカム部１７と身体との距離が変化したりすると、メインアンテナ２０によって受信される電波の受信感度が変化してしまうことがある。これは、例えば、インカム部１７と身体との距離が接近すると、電波伝搬がユーザの身体によって妨害されるためである。このような場合でも、本発明の一実施形態に係る眼鏡型無線通信機１では、メインアンテナ２０の受信感度を最適化することができる。以下、この機能を説明する。
【００２９】
まず、本発明に係る電子機器の一実施形態の回路構成について説明する。図２は、図１に示される眼鏡型無線通信機１の回路構成の一例を示す機能ブロック図である。眼鏡型無線通信機１は、メインアンテナ２０と、サブアンテナ３０，３１と、制御回路１００と、センサ部２００とを備える。
【００３０】
メインアンテナ２０及びサブアンテナ３０，３１は、受信した電波を受信信号として制御回路１００に供給する。また、メインアンテナ２０からは、電波が送信される。
【００３１】
制御回路１００は、整合回路部１１０ａ，１１０ｂ，１１０ｃ、ＲＦ（Ｒａｄｉｏ  Ｆｒｅｑｕｅｎｃｙ）部１２０、電源部１４０、制御部１５０、記憶部１６０を有する。
【００３２】
整合回路部１１０ａは、制御部１５０からの制御信号により整合回路部１１０ａ内のインピーダンスを調整することで、メインアンテナ２０のインピーダンスと、制御回路１００を構成する回路のインピーダンスとを整合させる。メインアンテナ２０のインピーダンスと制御回路１００を構成する回路のインピーダンスとを整合させると、メインアンテナ２０からの受信信号の制御回路１００での反射が低減され、制御部１５０で処理される受信信号の強度が増加する。つまり、整合回路部１１０ａ内のインピーダンスを調整してメインアンテナ２０のインピーダンスと制御回路１００を構成する回路のインピーダンスとが整合された状態が、メインアンテナ２０によって受信される電波の受信感度が最適化された状態となる。制御部１５０による整合回路部１１０ａのインピーダンスの整合は、整合回路部１１０ａを構成するキャパシタ(コンデンサ)及びインダクタによるインピーダンスの値やこれらの接続関係を変更することにより行われる。
【００３３】
整合回路部１１０ｂは、制御部１５０からの制御信号により整合回路部１１０ｂ内のインピーダンスを調整することで、サブアンテナ３０のインピーダンスと、制御回路１００を構成する回路のインピーダンスとを整合させる。サブアンテナ３０のインピーダンスと制御回路１００を構成する回路のインピーダンスとを整合させると、サブアンテナ３０からの受信信号の制御回路１００での反射が低減され、制御部１５０で処理される受信信号の強度が増加する。つまり、整合回路部１１０ｂ内のインピーダンスを調整してサブアンテナ３０のインピーダンスと制御回路１００を構成する回路のインピーダンスとが整合された状態が、サブアンテナ３０によって受信される電波の受信感度が最適化された状態となる。制御部１５０による整合回路部１１０ｂのインピーダンスの整合は、整合回路部１１０ｂを構成するキャパシタ及びインダクタによるインピーダンスの値やこれらの接続関係を変更することにより行われる。制御部１５０による整合回路部１１０ｂのインピーダンスの整合は、整合回路部１１０ｂを構成するキャパシタ及びインダクタによるインピーダンスの値や接続関係を変更することにより行われる。
【００３４】
整合回路部１１０ｃは、制御部１５０からの制御信号により整合回路部１１０ｃ内のインピーダンスを調整することで、サブアンテナ３１のインピーダンスと、制御回路１００を構成する回路のインピーダンスとを整合させる。サブアンテナ３１のインピーダンスと制御回路１００を構成する回路のインピーダンスとを整合させると、サブアンテナ３１からの受信信号の制御回路１００での反射が低減され、制御部１５０で処理される受信信号の強度が増加する。つまり、整合回路部１１０ｃ内のインピーダンスを調整してサブアンテナ３１のインピーダンスと制御回路１００を構成する回路のインピーダンスとが整合された状態が、サブアンテナ３１によって受信される電波の受信感度が最適化された状態となる。制御部１５０による整合回路部１１０ｃのインピーダンスの整合は、整合回路部１１０ｃを構成するキャパシタ及びインダクタによるインピーダンスの値やこれらの接続関係を変更することにより行われる。
【００３５】
図３に、整合回路部１１０ａの回路構成の一例を示す。なお、図２に示される整合回路部１１０ｂ，１１０ｃの回路構成は図３に示される回路構成と同様であるためその説明は省略する。整合回路部１１０ａは、コイル１１１，１１２、可変バイパス１１３を有する。可変バイパス１１３は、スイッチＳＷ１，ＳＷ２，ＳＷ３，ＳＷ４(以下、単にスイッチＳＷ１〜ＳＷ４とも記す。)及びキャパシタＣ１，Ｃ２，Ｃ３，Ｃ４(以下、単にキャパシタＣ１〜Ｃ４とも記す。)を有する。
【００３６】
キャパシタＣ１〜Ｃ４の容量値はそれぞれ異なる値であってもよい。制御部１５０からの制御信号によってスイッチＳＷ１〜ＳＷ４をオン／オフ状態にし、ＲＦ部１２０の入力側に接続されるキャパシタＣ１〜Ｃ４の組み合わせを変えることで、整合回路部１１０ａ内のインピーダンスは調整される。
【００３７】
以下、制御部１５０からの制御信号によって調整される整合回路部１１０ａ内のインピーダンスを変更するためのキャパシタ、インダクタによるインピーダンス変化及び接続関係の変更のパターンの組み合わせのそれぞれを可変パターンと称する。なお、図３に示される例では、整合回路部１１０ａ内のインピーダンスを、キャパシタの接続関係により可変にするものとしている。しかし、本実施形態では、キャパシタの接続関係の代わりにあるいはキャパシタの接続関係と共に、キャパシタの容量変更や、インダクタの接続関係の変更、インダクタのインピーダンスの変更などを適宜組み合わせて、整合回路部１１０ａ内のインピーダンスを可変にしても良い。
【００３８】
以上のように、整合回路部１１０ａは、メインアンテナ２０に接続され、複数のインピーダンスに設定可能な整合回路部であり、さらに、整合回路部１１０ａでは、制御部１５０の制御によって、複数のインピーダンスに設定可能となっている。例えば、図３に示される整合回路部１１０ａでは、制御部１５０からの制御信号によってスイッチＳＷ１〜ＳＷ４をオン／オフ状態にし、ＲＦ部１２０の入力側に接続されるキャパシタＣ１〜Ｃ４の組み合わせを変えることで、１６種類のインピーダンスのパターンを設定することができる。なお、この１６種類のうちのいずれかが同じ値のインピーダンスとなることも有り得るし、全て異なることもあり得る。
【００３９】
ＲＦ部１２０は、整合回路部１１０ａ，１１０ｂ，１１０ｃから供給される受信信号を、デジタル処理可能な帯域に変換する。ＲＦ部１２０は、変換後の受信信号を、制御部１５０に出力する。またこの際、ＲＦ部１２０は、受信信号の電界レベルを制御部１５０に通知する。また、ＲＦ部１２０は、制御部１５０から出力される信号（送信信号）を、ＲＦ帯域に変換する。ＲＦ部１２０は、変換後の送信信号を、整合回路部１１０ａ，１１０ｂ，１１０ｃに出力する。
【００４０】
電源部１４０は、例えば充電可能な二次電池により構成される。電源部１４０は、ＲＦ部１２０、制御部１５０及び記憶部１６０等に電力を供給する。なお、図２に示される例では、図面を簡単にするため電源部１４０は制御部１５０に接続されているのみであるが、実際には電源部１４０は眼鏡型無線通信機１の各要素に電力を供給している。
【００４１】
制御部１５０は、眼鏡型無線通信機１全体を制御及び管理するものであり、例えばプロセッサにより構成することができる。制御部１５０は、記憶部１６０に記憶されているプログラムを読み出して実行し、様々な機能を実現させる。また、制御部１５０には、ＤＳＰ（ｄｉｇｉｔａｌ  ｓｉｇｎａｌ  ｐｒｏｃｅｓｓｏｒ）を備えているとしてもよい。
【００４２】
制御部１５０は、ＲＦ部１２０から取得した受信信号を復調する。また、制御部１５０は、ＲＦ部１２０から取得した受信信号の電界レベルから、電波の受信感度を測定する。そして、制御部１５０は、制御信号を整合回路部１１０ａ〜１１０ｃに出力することで整合回路部１１０ａ〜１１０ｃ内のインピーダンスを変化させ、メインアンテナ２０等によって受信される電波の受信感度を最適化させる。制御部１５０の機能の詳細については後述する。
【００４３】
記憶部１６０は、制御部１５０の処理に必要な情報や、制御部１５０の各機能を実現する処理内容を記述したプログラムを記憶している。記憶部１６０は、制御部１５０が測定した電波の受信感度を記憶する。
【００４４】
センサ部２００は、ユーザが眼鏡型無線通信機１を装着していることを検出する。センサ部２００は、ユーザが眼鏡型無線通信機１を装着していることを検出すると、検出信号を制御部１５０に出力する。センサ部２００は、例えば、図１に示す鼻あて部１４，１５及び／又は耳掛け部１０ａ，１１ａに配置される。そして、ユーザが眼鏡型無線通信機１を装着する際に、鼻あて部１４，１５及び／又は耳掛け部１０ａ，１１ａに配置されたセンサ部２００がユーザとの接触を検出することで、センサ部２００は、ユーザが眼鏡型無線通信機１を装着していることを検出する。本実施形態では、センサ部２００として、ユーザの装着を静電容量の変化により検出する静電容量センサを用いる。センサ部２００として、静電容量センサの他、赤外線センサ等のその他のセンサを用いるとしてもよい。また、このセンサ部２００は、ユーザが眼鏡型無線通信機１を装着しているか否かを検出しない場合は、眼鏡型無線通信機１に備えられていないとしても良い。
【００４５】
以下、制御部１５０の機能の詳細について説明する。なお、以下では、ユーザが眼鏡型無線通信機１を装着しているものとする。また、以下では、制御部１５０が制御する整合回路部１１０ａ〜１１０ｃにおいて、制御部１５０が整合回路部１１０ａを制御する例を説明する。
【００４６】
まず、制御部１５０は、整合回路部１１０ａの可変パターンを基準パターンに設定する。基準パターンとは、ユーザが眼鏡型無線通信機１を装着していないときに、メインアンテナ２０によって受信される電波の受信感度が最も良くなる可変パターンである。そしてこの基準パターンの際に、整合回路部１１０ａは、インピーダンスが所定の値に設定される。
【００４７】
次に、制御部１５０は、制御信号によって整合回路部１１０ａの可変パターンを変化させながら、整合回路部１１０ａにおける全可変パターンにて、メインアンテナ２０によって受信される電波の受信感度を測定する。またこの際、制御部１５０は、測定した受信感度を可変パターンに対応付けて、記憶部１６０に記憶させておく。
【００４８】
その後、制御部１５０は、記憶部１６０から測定した電波の受信感度を読み出し、測定した受信感度から、最も良い受信感度Ａを選択する。加えて、制御部１５０は、制御信号を整合回路部１１０ａに出力し、整合回路部１１０ａの可変パターンを、受信感度Ａに対応する可変パターンに設定する。これにより、例えば眼鏡型無線通信機１を使用するユーザの頭部の形状に応じて、インカム部１７の形状が変化したり、インカム部１７と身体との距離が変化したりしても、電波の受信感度を最適化することができる。
【００４９】
第１の所定時間が経過した後、制御部１５０は、整合回路部１１０ａの現在の可変パターンにおける受信感度Ｂを測定する。そして、制御部１５０は、受信感度Ａと受信感度Ｂとの差が所定の閾値以上であるか否か判定する。
【００５０】
制御部１５０は、受信感度Ａと受信感度Ｂとの差が所定の閾値以上であると判定した場合、上述の整合回路部１１０ａにおける全可変パターンにて、メインアンテナ２０によって受信される電波の受信感度を測定する処理等を再度行う。そして、制御部１５０は、整合回路部１１０ａの可変パターンを、再度選択した最も良い受信感度Ａに対応する可変パターンに設定する。これにより、例えばユーザが使用中のマイク１７ａの位置を再度調整することによって、インカム部１７の形状が変化したり、インカム部１７と身体との距離が変化したりしても、電波の受信感度を最適化することができる。
【００５１】
一方、制御部１５０は、受信感度Ａと受信感度Ｂとの差が所定の閾値以上ではないと判定した場合、上述の処理（第１の所定時間が経過した後、制御部１５０は、整合回路部１１０ａの現在の可変パターンにおける受信感度Ｂを測定する処理等）を再度行う。
【００５２】
以下、本発明の一実施形態に係る眼鏡型無線通信機１の動作について図面を参照してさらに詳細に説明する。なお、以下では、制御部１５０が制御する整合回路部１１０ａ〜１１０ｃにおいて、制御部１５０が整合回路部１１０ａを制御する例を説明する。
【００５３】
図４は、メインアンテナ２０による電波の受信感度を最適化する際の回路動作の一例を示すフローチャートである。なお、以下では、ユーザが眼鏡型無線通信機１を装着しているものとする。
【００５４】
まず、制御部１５０は、整合回路部１１０ａの可変パターンを基準パターンに設定する（ステップＳ１０１）。基準パターンとは、ユーザが眼鏡型無線通信機１を装着していないときに、メインアンテナ２０によって受信される電波の受信感度が最も良くなるときの可変パターンである。
【００５５】
次に、制御部１５０は、制御信号によって整合回路部１１０ａの可変パターンを変化させながら、整合回路部１１０ａにおける全可変パターンにて、メインアンテナ２０によって受信される電波の受信感度を測定する（ステップＳ１０２）。またこの際、制御部１５０は、測定した受信感度を可変パターンに対応付けて、記憶部１６０に記憶させておく。ここで、整合回路部１１０ａにおける全可変パターンとは、整合回路部１１０ａにおけるインピーダンスが変化するキャパシタ、インダクタの組み合わせの全てのパターンのことをいう。また、本実施形態では、整合回路部１１０ａにおける全可変パターンにて受信感度を測定するとしているが、全ての可変パターンではなく、所定の範囲のインピーダンスとなる一部の可変パターンの組み合わせにより受信感度を測定してもよい。
【００５６】
その後、制御部１５０は、記憶部１６０からステップＳ１０２の処理において測定した電波の受信感度を読み出し、測定した受信感度から、最も良い受信感度Ａを選択する（ステップＳ１０３）。加えて、制御部１５０は、制御信号を整合回路部１１０ａに出力し、整合回路部１１０ａの可変パターンを、受信感度Ａに対応する可変パターンに設定する（ステップＳ１０４）。
【００５７】
このようにステップＳ１０３，Ｓ１０４の処理を行うことで、例えば眼鏡型無線通信機１を使用するユーザの頭部の形状に応じて、インカム部１７の形状が変化したり、インカム部１７と身体との距離が変化したりしても、電波の受信感度を最適化することができる。
【００５８】
次に、制御部１５０は、整合回路部１１０ａの可変パターンを受信感度Ａに対応する可変パターンに設定してから第１の所定時間が経過した後、整合回路部１１０ａの現在の可変パターンにおける受信感度Ｂを測定する（ステップＳ１０５）。そして、制御部１５０は、受信感度Ａと受信感度Ｂとの差が所定の閾値以上であるか否か判定する（ステップＳ１０６）。
【００５９】
制御部１５０は、受信感度Ａと受信感度Ｂとの差が所定の閾値以上であると判定した場合（ステップＳ１０６：Ｙｅｓ）、ステップＳ１０２からの処理を繰り返し行う。一方、制御部１５０は、受信感度Ａと受信感度Ｂとの差が所定の閾値以上ではないと判定した場合（ステップＳ１０６：Ｎｏ）、ステップＳ１０５からの処理を繰り返し行う。
【００６０】
このようにステップＳ１０５，Ｓ１０６の処理を行うことで、ステップＳ１０４の処理後に、例えばユーザが使用中のマイク１７ａの位置を再度調整することによって、インカム部１７の形状が変化したり、インカム部１７と身体との距離が変化したりしても、電波の受信感度を最適化することができる。
【００６１】
以上のように、本実施形態の眼鏡型無線通信機１では、ユーザが他者と通話する際に使用するインカム部１７を備え、インカム部１７がメインアンテナ２０を有する。これにより、電波強度の強いメインアンテナ２０をユーザの頭部から離れたインカム部１７に配置されることになるため、ＳＡＲを低減させることができる。また、メインアンテナ２０をユーザの頭部から離れたインカム部１７に配置させることで、メインアンテナ２０は、頭部によって電波伝搬を妨害されることなく、電波の送受信を行うことができる。
【００６２】
また、本実施形態の眼鏡型無線通信機１では、制御部１５０が、メインアンテナ２０の受信感度を測定し、最も良い受信感度Ａに対応する可変パターンに整合回路部１１０ａを設定することで、メインアンテナ２０の受信感度を最適化させている。これにより、例えば眼鏡型無線通信機１を使用するユーザの頭部の形状に応じて、インカム部１７の形状が変化したり、インカム部１７と身体との距離が変化したりしても、電波の受信感度を最適化することができる。
【００６３】
また、本実施形態の眼鏡型無線通信機１では、制御部１５０は、整合回路部１１０ａの可変パターンを、受信感度Ａに対応する可変パターンに設定してから第１の所定時間経過後、現在のメインアンテナ２０の受信感度Ｂを測定する。加えて、制御部１５０は、前回測定で最も良い受信感度Ａと今回測定した受信感度Ｂとの差が所定の閾値以上である場合、再度、整合回路部１１０ａにおける全可変パターンにてメインアンテナ２０の受信感度を測定する。そして、制御部１５０は、最も良い受信感度Ａを再度選択し、整合回路部１１０ａを受信感度Ａに対応する可変パターンに設定する。これにより、例えばユーザが使用中のマイク１７ａの位置を再度調整することによって、インカム部１７の形状が変化したり、インカム部１７と身体との距離が変化したりしても、電波の受信感度を最適化することができる。
【００６４】
＜変形例＞
次に、本発明に係る電子機器の一実施形態の眼鏡型無線通信機１の変形例について説明する。以下の説明では、上述の本発明に係る電子機器の一実施形態の眼鏡型無線通信機１の一実施形態と異なる構成、機能、動作の異なる点のみを説明する。
【００６５】
本変形例では、制御部１５０がユーザへの装着の有無をセンサ部２００により判定することにより消費電力の低減を図るものである。
【００６６】
すなわち、ユーザが眼鏡型無線通信機１を装着していない（身体非装着）ときは、ユーザによってインカム部１７の形状が変えられることはないと考えられる。そこで、このような場合、本変形例は、受信感度の測定等の処理を行わないことで、眼鏡型無線通信機１の消費電力を低減する。
【００６７】
まず、制御部１５０は、眼鏡型無線通信機１がユーザの身体に装着されているか否か判定する。制御部１５０は、例えば、センサ部２００から、ユーザが眼鏡型無線通信機１を装着している際に出力される検出信号を取得した場合、眼鏡型無線通信機１がユーザの身体に装着されていると判定する。
【００６８】
制御部１５０は、眼鏡型無線通信機１がユーザの身体に装着されていないと判定した場合、当該判定をしてから第２の所定時間、整合回路部１１０ａ〜１１０ｃにおいて、基準パターンが使用されるよう設定する。
【００６９】
これにより、本変形例は、判定をしてから第２の所定時間の間、例えば後述する図５のステップＳ２０３の動作のような感度の測定等を行わず基準パターンを使用することで、受信感度の測定等による電力を低減することができる。よって、本変形例は、眼鏡型無線通信機１における消費電力を低減することができる。
【００７０】
また、制御部１５０は、ユーザが眼鏡型無線通信機１を装着しているか否かを判定をしてから第２の所定時間経過した後、再び、眼鏡型無線通信機１がユーザの身体に装着されているか否か判定する処理を行う。
【００７１】
制御部１５０は、眼鏡型無線通信機１がユーザの身体に装着されていると判定した場合、前述の実施形態の説明における、ステップＳ１０２の処理と同様に、整合回路部１１０ａ〜１１０ｃにおける全可変パターンにて、メインアンテナ２０及びサブアンテナ３０，３１によって受信される電波の受信感度を測定する。
【００７２】
そして、制御部１５０は、測定した受信感度から最も良い受信感度Ａを選択し、当該選択から第３の所定時間の間、整合回路部１１０ａ〜１１０ｃにおいて、受信感度Ａに対応する可変パターンが使用されるよう設定する。その後、制御部１５０は、ステップＳ２０１の上述の眼鏡型無線通信機１がユーザの身体に装着されているか否か判定する処理等を再度行う。
【００７３】
上記変形例の処理について図５を参照して説明する。図５は、本発明に係る電子機器の一実施形態の眼鏡型無線通信機１の変形例の動作のフローチャートである。なお、以下では、制御部１５０が制御する整合回路部１１０ａ〜１１０ｃにおいて、制御部１５０が整合回路部１１０ａを制御する例を説明する。
【００７４】
まず、制御部１５０は、眼鏡型無線通信機１がユーザの身体に装着されているか否か判定する（ステップＳ２０１）。制御部１５０は、例えば、センサ部２００から、ユーザが眼鏡型無線通信機１を装着している際に出力される検出信号を取得した場合、眼鏡型無線通信機１がユーザの身体に装着されていると判定する。
【００７５】
制御部１５０は、眼鏡型無線通信機１がユーザの身体に装着されていない判定した場合（ステップＳ２０１：Ｎｏ）、ステップＳ２０２の処理に進む。一方、制御部１５０は、眼鏡型無線通信機１がユーザの身体に装着されていると判定した場合（ステップＳ２０１：Ｙｅｓ）、ステップＳ２０３の処理に進む。
【００７６】
ステップＳ２０２の処理では、制御部１５０は、眼鏡型無線通信機１がユーザの身体に装着されていない判定されてから第２の所定時間の間、整合回路部１１０ａにおいて、基準パターンが使用されるよう設定する。その後、制御部１５０は、ステップＳ２０１からの処理を繰り返し行う。
【００７７】
このように、本変形例は、ステップＳ２０１，Ｓ２０２の処理を行うことで、ユーザが眼鏡型無線通信機１を装着していないときは、受信感度の測定等を行わず、第２の所定時間、整合回路部１１０ａにおける可変パターンを基準パターンにする。
【００７８】
これにより、本変形例は、眼鏡型無線通信機１がユーザに装着されていない場合に、例えばステップＳ２０３に示される受信感度の測定等を行わずに済みため、眼鏡型無線通信機１における消費電力を低減することができる。
【００７９】
ステップＳ２０３，Ｓ２０４の処理は、図４に示すステップＳ１０２，Ｓ１０３の処理と同様であるため、説明を省略する。
【００８０】
ステップＳ２０５の処理では、制御部１５０は、第３の所定時間、整合回路部１１０ａにおいて、受信感度Ａに対応する可変パターンが使用されるよう設定する。その後、制御部１５０は、ステップＳ２０１からの処理を繰り返し行う。
【００８１】
このように、本変形例では、前述の実施形態と同様の効果を奏することができると共に、制御部１５０は、センサ部２００によって、眼鏡型無線通信機１がユーザに装着されていないと判定した場合は、第２の所定時間、整合回路部１１０ａの可変パターンを基準パターンに設定する。これにより、本変形例は、眼鏡型無線通信機１がユーザに装着されていない場合に、受信感度の測定等を行わずに済むため、眼鏡型無線通信機１における消費電力を低減することができる。
【００８２】
なお、上述の説明では、制御部１５０は、整合回路部１１０ａの可変パターンを最適なものに調整していたが、本発明では、整合回路部１１０ｂ及び整合回路部１１０ｃの可変パターンを、上記実施形態と同様に最適なものに調整し、サブアンテナ３０，３１のインピーダンスの整合を図るとしてもよい。
【００８３】
なお、上記では、本発明に係る電子機器の一実施形態として、眼鏡型無線通信機１を例に説明したが、これに限定されない。本発明に係る電子機器は、例えば、インカム部を備えたヘッドフォン型の形状であってもよく、その場合は、サイドフレーム部としてヘッドフォンのアーム又はヘッドハンドにサブアンテナを配置することができる。また、本発明に係る電子機器は、例えば、インカム部を備えたヘルメット型の形状であってもよく、その場合は、サイドフレーム部としてヘルメットの帽体にサブアンテナを配置することができる。
【００８４】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部、各ステップ等に含まれる機能等は論理的に矛盾しないように再配置可能であり、複数の構成部やステップ等を１つに組み合わせたり、或いは分割したりすることが可能である。また、本発明について装置を中心に説明してきたが、本発明は装置が備えるプロセッサにより実行される方法、プログラム、又はプログラムを記録した記憶媒体としても実現し得るものであり、本発明の範囲にはこれらも包含されるものと理解されたい。
【符号の説明】
【００８５】
１  眼鏡型無線通信機
１０，１１  テンプル部（サイドフレーム部）
１２，１３  レンズ部
１４，１５  鼻あて部
１６  ブリッジ部
１７  インカム部
１７ａ  マイク
２０  メインアンテナ（第１のアンテナ）
３０，３１  サブアンテナ（第２のアンテナ）
１００  制御回路
１１０ａ，１１０ｂ，１１０ｃ  整合回路部
１１１，１１２  コイル
１１３  可変バイパス
１２０  ＲＦ部
１４０  電源部
１５０  制御部
１６０  記憶部
ＳＷ１，ＳＷ２，ＳＷ３，ＳＷ４  スイッチ
Ｃ１，Ｃ２，Ｃ３，Ｃ４  キャパシタ
２００  センサ部
【図１】
2017175436.tif 000003
【図２】
2017175436.tif 000004
【図３】
2017175436.tif 000005
【図４】
2017175436.tif 000006
【図５】
2017175436.tif 000007